(57)【要約】  【課題】  異なる大きさの乾電池を選択的に収納する乾電池収納装置において、乾電池の装着を容易にし、乾電池の確実な固定および収納スペースの小型化を可能にすること。  【解決手段】  乾電池収納ケース４内に収納スペースを形成する仕切り部材５に、前記乾電池収納ケース４に設けたガイド部４ａに係合する係合部５ａと、前記乾電池の電極面に対向する第一面部材５ｆと、前記乾電池の側面に当接する第二面部材５ｇとを設け、前記ガイド部４ａを、前記仕切り部材５を前記乾電池の電極面に平行な方向に設けた第一移動部４ａｄと、電極面に垂直な方向に設けた複数の第二移動部４ａａ、４ａｂ、４ａｃとで構成し、例えば、前記係合部５ａを前記第一移動部４ａｄから前記第二移動部４ａａへ移動すると、前記収納スペースを単一形乾電池の大きさに対応させることができる。【選択図】  図２
2006216500.tif 000002
【特許請求の範囲】
【請求項１】
乾電池を出し入れする開口部を設けた乾電池収納ケースと、前記開口部を覆う電池蓋と、前記乾電池収納ケースと前記電池蓋と併せて乾電池収納スペースを形成する仕切り部材とから構成される乾電池収納装置において、前記仕切り部材は、少なくとも、乾電池収納時に、前記乾電池の電極面に対向する第一面部材と、前記乾電池の側面に当接する第二面部材とからなり、前記第二面部材には前記仕切り部材を前記乾電池収納ケースに係合させるための係合部を備え、前記乾電池収納ケースは対向する２面にガイド部を備え、前記ガイド部は前記係合部を係合し且つ移動させるための前記乾電池の電極面に平行な方向に設けた第一移動部と、前記第一移動部に連結され、前記乾電池の電極面に垂直な方向に設けた複数の第二移動部とからなり、前記係合部が前記第一移動部を介して、前記第二移動部のいずれか１つに移動することにより前記仕切り部材を移動させ、複数の異なる大きさの乾電池に対応する前記乾電池収納スペースを形成可能としたことを特徴とする乾電池収納装置。
【請求項２】
前記複数の第二移動部は、前記乾電池収納ケースに前記複数の異なる大きさの乾電池を収納した時、各乾電池の直径にそれぞれ対応して前記第一移動部の位置から連続して設けられたことを特徴とする請求項１に記載の乾電池収納装置。
【請求項３】
前記複数の第二移動部の長さは、収納される前記複数の異なる大きさの乾電池の長さに対応する長さとしたことを特徴とする請求項１または請求項２記載の乾電池収納装置。
【請求項４】
前記ガイド部の第一移動部に段差を設け、前記仕切り部材を前記第二移動部へ移動し易くしたことを特徴とする請求項１乃至請求項３記載の乾電池収納装置。
【請求項５】
請求項１乃至請求項４記載の乾電池収納装置を備えた電子機器。
【発明の詳細な説明】
【技術分野】
【０００１】
本発明は、複数の異なる大きさの乾電池を選択的に収納できるようにした乾電池収納装置に関するものであり、より詳細には、乾電池の装着を容易にし、乾電池の確実な固定および乾電池収納スペースの小型化を可能とする構造に関する。また、本発明は前記乾電池収納装置を備えた電子機器に関する。
【０００２】
近年、消防・防災無線機、戸別受信機、小型ラジオ受信機等の電子機器に使用される乾電池収納装置は、複数種の乾電池のいずれでも装着できるようになっているものがある。
【背景技術】
【０００３】
この種の従来の乾電池収納装置は、ケース本体と、回転端子板と、押さえ板とを設けた構成となっている（例えば、特許文献１参照。）。
【０００４】
前記乾電池収納装置は、前記特許文献１の図１に示すように、前記ケース本体はその底面に電池載せ座と調整支柱を備え、単一形乾電池から単三形乾電池の三種類の乾電池を収納する構成となっている。
【０００５】
また、前記回転端子板は単二形乾電池または単三形乾電池をその電極軸方向から固定するために、前記ケース本体の底面に設けた構成となっている。
【０００６】
そして、前記押さえ板は単一形乾電池から単三形乾電池のいずれかをその側面から固定するために、前記調整支柱に対応する穴を設けた構成となっている。
【０００７】
このように、乾電池を前記ケース本体に装着し、前記回転端子板および前記押さえ板を適宜操作させることにより、複数種の乾電池を一つの乾電池収納装置で使用することができる。
【０００８】
また、その他の従来の乾電池収納装置では、ケース本体と、スライド部材と、電池載置部材と、端子保持部材とを設けた構成となっている（例えば、特許文献２参照。）。
【０００９】
この乾電池収納装置では、前記特許文献２の図３に示すように、前記ケース本体はその側面にガイド溝を備え、単一形乾電池から単三形乾電池の三種類の乾電池を収納する構成となっている。
【００１０】
また、前記スライド部材はその側面にカム溝を備え、前記電池載置部材と前記端子保持部材を連携して動かす構成となっており、前記電池載置部材と前記端子保持部材にそれぞれ突起部を備え、前記カム溝から前記ガイド溝を貫通して係合されている。
【００１１】
そして、前記電池載置部材は単一形乾電池から単三形乾電池のいずれかをその側面から固定する構成となっている。
【００１２】
更に、前記端子保持部材は単一形乾電池から単三形乾電池のいずれかをその電極軸方向から固定する構造となっている。
【００１３】
このように、乾電池をケース本体に装着し、前記スライド部材を動かすことにより、前記電池載置部材と、前記端子保持部材が連携して動き、装着した乾電池の大きさ（直径、長さ）に応じた空間をケース本体内に形成する。
【００１４】
【特許文献１】特開平１１−２１９６９０号公報（第３頁、第１図）
【特許文献２】特開昭５７−２５６６８号公報（第２頁〜第３頁、第３図）
【発明の開示】
【発明が解決しようとする課題】
【００１５】
前記特許文献１による前記乾電池収納装置によれば、乾電池収納スペースを形成するのに前記回転端子板と前記押さえ板の２つの部材を操作する必要があり、不慣れな人にとっては装着作業に手間取るという問題点があった。
【００１６】
また、前記回転端子板と前記押さえ板とを弾性部材等により乾電池に押し付けることで装着作業の容易化を図ることも考えられるが、その場合には乾電池収納時に乾電池が動いてしまい、乾電池の確実な固定を達成することができない。
【００１７】
従って、乾電池の装着作業に手間取ることなく、乾電池の確実な固定ができることが望まれていた。
【００１８】
更に、前記引用文献２による前記乾電池収納装置によれば、つまみを備えた前記スライド部材１つを動かすことにより乾電池収納スペースを形成することができるため、乾電池の装着に手間取ることはないが、構造上、前記ケース本体が大きくなってしまい、それに伴い前記乾電池収納装置を用いた電子機器自体が大きくなってしまう。
【００１９】
これは、前記スライド部材を単一形乾電池の電極軸方向に移動させる機構であるため、前記ケース本体の占有スペースが前記単一形乾電池の約２倍必要となるからである。
【００２０】
更に、前記スライド部材に前記電池載置部材と前記端子保持部材との複数部材の連携機構が必要となり、構造的にも複雑となってしまう。
【００２１】
従って、乾電池収納スペースが大きくならず、携帯性に優れた電子機器となるように、前記乾電池収納装置の構造を簡単にすることが望まれていた。
【００２２】
本発明は上記問題点に鑑み、複数の異なる大きさの乾電池を選択的に収納できるようにした乾電池収納装置において、乾電池の装着を容易にし、乾電池の確実な固定および乾電池収納スペースの小型化を可能とする構造と、前記乾電池収納装置を備えた電子機器を提供することを目的とする。
【課題を解決するための手段】
【００２３】
本発明は上記課題を解決するため、請求項１記載の発明は、乾電池を出し入れする開口部を設けた乾電池収納ケースと、前記開口部を覆う電池蓋と、前記乾電池収納ケースと前記電池蓋と併せて乾電池収納スペースを形成する仕切り部材とから構成される乾電池収納装置において、前記仕切り部材は、少なくとも、乾電池収納時に、前記乾電池の電極面に対向する第一面部材と、前記乾電池の側面に当接する第二面部材とからなり、前記第二面部材には前記仕切り部材を前記乾電池収納ケースに係合させるための係合部を備え、前記乾電池収納ケースは対向する２面にガイド部を備え、前記ガイド部は前記係合部を係合し且つ移動させるための前記乾電池の電極面に平行な方向に設けた第一移動部と、前記第一移動部に連結され、前記乾電池の電極面に垂直な方向に設けた複数の第二移動部とからなり、前記係合部が前記第一移動部を介して、前記第二移動部のいずれか１つに移動することにより前記仕切り部材を移動させ、複数の異なる大きさの乾電池に対応する前記乾電池収納スペースを形成可能としたことを特徴とする構成となっている。
【００２４】
請求項２記載の発明は、請求項１記載の発明において、前記複数の第二移動部は、前記乾電池収納ケースに前記複数の異なる大きさの乾電池を収納した時、各乾電池の直径にそれぞれ対応して前記第一移動部の位置から連続して設けられたことを特徴とする構成となっている。
【００２５】
請求項３記載の発明は、請求項１または請求項２記載の発明において、前記複数の第二移動部の長さは、収納される前記複数の異なる大きさの乾電池の長さに対応する長さとしたことを特徴とする構成となっている。
【００２６】
請求項４記載の発明は、請求項１乃至請求項３記載の発明において、前記ガイド部の前記第一移動部に段差を設け、前記仕切り部材を前記第二移動部へ移動し易くしたことを特徴とする構成となっている。
【００２７】
請求項５記載の発明は、請求項１乃至請求項４記載の発明において、前記乾電池収納装置を電子機器に備えたことを特徴としている。
【発明の効果】
【００２８】
請求項１記載の本発明によれば、複数の異なる大きさの乾電池を選択的に収納できるようにした乾電池収納装置において、前記乾電池収納ケースに前記ガイド部として前記第一移動部と前記複数の第二移動部とを設け、前記仕切り部材に前記第一面部材と前記第二面部材を設け、前記第二面部材に前記係合部を設けているため、前記仕切り部材を動かすだけの操作により前記乾電池収納スペースを形成することができ、乾電池の装着を容易にし、乾電池の確実な固定および乾電池収納スペースの小型化を可能とする構造を実現することができる。
【００２９】
請求項２記載の発明によれば、前記複数の第二移動部は、前記乾電池収納ケースに前記複数の異なる大きさの乾電池を収納した時、各乾電池の直径にそれぞれ対応して前記第一移動部の位置から連続して設けられているため、各乾電池の確実な固定および乾電池収納スペースの小型化に寄与することができる。
【００３０】
請求項３記載の発明によれば、前記複数の第二移動部の長さは、収納される前記複数の異なる大きさの乾電池の長さに対応する長さとしているため、各乾電池の確実な固定および乾電池収納スペースの小型化に寄与することができる。
【００３１】
請求項４記載の発明によれば、前記ガイド部の前記第一移動部に段差を設けているため、これまで装着されていた乾電池とは異なる大きさの乾電池に交換する時に、前記仕切り部材を各乾電池の種類に応じた前記第二移動部へスムーズに移動させることができる。
【００３２】
請求項５記載の発明によれば、前記乾電池収納装置を電子機器に備えたことにより、前記乾電池収納ケースを収納可能な最大の乾電池の一回り大きい程度のサイズにすることができるので、前記電子機器自体の小型化に寄与することができる。
【発明を実施するための最良の形態】
【００３３】
以下、本発明の実施の形態を、添付図面に基づいた実施例として詳細に説明する。図１は本発明による乾電池収納装置を用いた電子機器本体の外観を説明する図で（Ａ）は第一例の斜視図、（Ｂ）は第二例の斜視図、図２は本発明による乾電池収納装置の実施例１の各構成を説明する図で（Ａ）は後斜めから見た組み上がり斜視図、（Ｂ）は前斜めから見た組み上がり斜視図、（Ｃ）は電池蓋の構成を説明する斜視図、（Ｄ）は仕切り部材の構成を説明する斜視図、（Ｅ）はガイド部の構成を説明する側面図、図３は本発明による乾電池収納装置の実施例１に各乾電池を収納した状態を説明する図で（Ａ）は単一形乾電池を収納した状態の概略上面透視図、（Ｂ）は（Ａ）のＡ−Ａ断面の矢印方向の概略断面図、（Ｃ）は単二形乾電池を収納した状態の概略上面透視図、（Ｄ）は（Ｃ）のＢ−Ｂ断面の矢印方向の概略断面図、（Ｅ）は単三形乾電池を収納した状態の概略上面透視図、（Ｆ）は（Ｅ）のＣ−Ｃ断面の矢印方向の概略断面図、図４は本発明による乾電池収納装置のガイド部のその他の例を説明する図で（Ａ）は第一の側面図、（Ｂ）は第二の側面図、（Ｃ）は第三の側面図、（Ｄ）は第四の側面図である。
【００３４】
図５は本発明による乾電池収納装置の実施例２の各構成を説明する図で（Ａ）は後斜めから見た組み上がり斜視図、（Ｂ）は前斜めから見た組み上がり斜視図、（Ｃ）は電池蓋の構成を説明する斜視図、（Ｄ）は仕切り部材の構成を説明する斜視図、（Ｅ）はガイド部の構成を説明する側面図、図６は本発明による乾電池収納装置の実施例２に単四形乾電池を収納した状態を説明する図で（Ａ）は概略上面透視図、（Ｂ）は（Ａ）のＡ−Ａ断面の矢印方向の概略断面図、図７は本発明による乾電池収納装置の実施例３の各構成を説明する分解斜視図、図８は本発明による乾電池収納装置の実施例３のガイド部の構成を説明する側面図、図９は本発明による乾電池収納装置の実施例３に各乾電池を収納した状態を説明する図で（Ａ）は単一形乾電池を収納した状態の概略上面透視図、（Ｂ）は（Ａ）のＡ−Ａ断面の矢印方向の概略断面図、（Ｃ）は単二形乾電池を収納した状態の概略上面透視図、（Ｄ）は（Ｃ）のＢ−Ｂ断面の矢印方向の概略断面図、（Ｅ）は単三形乾電池を収納した状態の概略上面透視図、（Ｆ）は（Ｅ）のＣ−Ｃ断面の矢印方向の概略断面図である。
【００３５】
そして、本発明による乾電池収納装置は、乾電池を出し入れする開口部を設けた乾電池収納ケースと、前記開口部を覆う電池蓋と、前記乾電池収納ケースと前記電池蓋と併せて乾電池収納スペースを形成する仕切り部材とから構成される乾電池収納装置において、前記仕切り部材は、少なくとも、乾電池収納時に、前記乾電池の電極面に対向する第一面部材と、前記乾電池の側面に当接する第二面部材とからなり、前記第二面部材には前記仕切り部材を前記乾電池収納ケースに係合させるための係合部を備え、前記乾電池収納ケースは対向する２面にガイド部を備え、前記ガイド部は前記係合部を係合し且つ移動させるための前記乾電池の電極面に平行な方向に設けた第一移動部と、前記第一移動部に連結され、前記乾電池の電極面に垂直な方向に設けた複数の第二移動部とからなり、前記係合部が前記第一移動部を介して、前記第二移動部のいずれか１つに移動することにより前記仕切り部材を移動させ、複数の異なる大きさの乾電池に対応する前記乾電池収納スペースを形成可能としたことを特徴とするものである。
【実施例１】
【００３６】
本発明による乾電池収納装置は、例えば、電子機器本体に備え、直径、長さが異なる単一形乾電池、単二形乾電池、単三形乾電池の３種類のいずれかを選択的に２本ずつ収納するように構成されている。
【００３７】
なお、前記単一形乾電池、前記単二形乾電池、前記単三形乾電池それぞれの直径と長さは、前記単一形乾電池の直径をＲ１、長さをＬ１とし、前記単二形乾電池の直径をＲ２、長さをＬ２とし、前記単三形乾電池の直径をＲ３、長さをＬ３とすると、Ｌ２≒Ｌ３の条件で、Ｒ１＞Ｒ２＞Ｒ３、Ｌ１＞Ｌ２、Ｌ１＞Ｌ３の関係になる。
【００３８】
まず、図１（Ａ）及び（Ｂ）で示すように、電子機器本体１は、例えば、市町村防災無線システムで各家庭に設置される戸別受信機の本体であり、前面ケース１ａと背面ケース１ｂが組み合わされた箱状に構成されている。
【００３９】
そして、図１（Ａ）で示す前記電子機器本体１は、前記前面ケース１ａ及び前記背面ケース１ｂの側面の下部に乾電池収納装置２を取り付け、図１（Ｂ）で示す前記電子機器本体１は、前記背面ケース１ｂの表面の右下に前記乾電池収納装置２を取り付けている。これらの前記乾電池収納装置２は、図示を省略するが例えば、前記前面ケース１ａと前記背面ケース１ｂに対してカートリッジ式にネジ締めや係合手段等によって取り付けられる構成となっている。
【００４０】
前記乾電池収納装置２を各構成に分解し説明すると、図２（Ａ）乃至図２（Ｄ）に示すように、前記乾電池収納装置２は、乾電池を出し入れする開口部４ｄが設けられた乾電池収納ケース４と、前記開口部４ｄを覆う電池蓋３と、前記乾電池収納ケース４と前記電池蓋３と併せて乾電池収納スペース４ｇを形成する仕切り部材５とから構成されている。また、前記電池蓋３には、乾電池収納時に前記乾電池の一方の電極面（図示せず）に対向する位置に第一接続端子３ｄが設けられている。
【００４１】
前記乾電池収納ケース４は、前記単一形乾電池、前記単二形乾電池、前記単三形乾電池のいずれかを選択的に２本ずつ収納できる箱状に形成されており、対向する２面４ｅ、４ｆに、前記仕切り部材５を係合し且つ移動可能にするガイド部４ａを設けている。
【００４２】
また、図２（Ａ）及び図２（Ｂ）では、前記乾電池収納ケース４と前記電池蓋３と併せて、前記乾電池収納スペース４ｇを形成するように、前記乾電池収納ケース４内に前記単一形乾電池を２本収納されている状態に前記仕切り部材５が配置されている。
【００４３】
前記開口部４ｄは、前記乾電池収納ケース４の上面に前記単一形乾電池を２本出し入れ可能な開口の大きさに形成されており、前記開口部４ｄの前端中央に、前記電池蓋３を固定するためのネジ穴を形成した固定部４ｃを備えている。
【００４４】
前記電池蓋３は、前記単一形乾電池、前記単二形乾電池、前記単三形乾電池に共通に使用され、乾電池収納時に前記単一形乾電池、前記単二形乾電池、前記単三形乾電池のいずれかの一方の電極面、すなわち、＋電極または−電極がある面に対向する第一接続端子３ｄを裏面前方に備えるとともに、前記電池蓋３の裏面後方の両端に前記単一形乾電池を収納したときに、前記仕切り部材５と当接する突起部３ｃを備えている。
【００４５】
更に、前記電池蓋３の前端中央には、前記乾電池収納ケース４の前記開口部４ｄを覆って固定するためにネジを挿通する挿通部３ａを備え、固定ネジ３ｂにより締付けることで、前記電池蓋３が前記乾電池収納ケース４に固定されるようになっている。
【００４６】
前記仕切り部材５は、少なくとも、乾電池収納時に前記単一形乾電池、前記単二形乾電池、前記単三形乾電池のいずれかの他方の電極面、すなわち、＋電極または−電極がある面に対向する第一面部材５ｆと、前記単一形乾電池、前記単二形乾電池、前記単三形乾電池のいずれかの側面に当接する第二面部材５ｇとからなっており、前記第一面部材５ｆには第二接続端子５ｂを設け、前記第二面部材５ｇには前記ガイド部４ａに係合させるための係合部５ａを設けたものとなっている。
【００４７】
前記第二接続端子５ｂは例えば、前記第一面部材５ｆの上面に設けたものであり、前記単一形乾電池、前記単二形乾電池、前記単三形乾電池に共通に対応する接続端子となっている。また、前記係合部５ａは例えば、前記第二面部材５ｇの左右の端面に設けたものであり、前記第二面部材５ｇの上下に延びる端面から左右に突出するように２箇所ずつ形成されている。
【００４８】
更に、前記第二面部材５ｇには、前記係合部５ａに加え、前記第二面部材５ｇの上端面に前記電池蓋３に当接する位置決め部５ｅと、前記第二面部材５ｇの中央面に前記単一形乾電池、前記単二形乾電池、前記単三形乾電池のいずれかの側面を押える押さえ部５ｄとを設けており、前記位置決め部５ｅは前記係合部５ａの前記第二面部材５ｇの左右の上端面から上に突出するように形成されている。
【００４９】
前記仕切り部材５は例えば、前記第一面部材５ｆと前記第二面部材５ｇとを一体的に形成し、かつ、前記第二面部材５ｇに設けた前記係合部５ａと前記押さえ部５ｄ及び前記位置決め部５ｅとを一体的に形成し、これに前記第一面部材５ｆに設けた前記第二接続端子５ｂを固定したものとなっている。
【００５０】
前記押さえ部５ｄは、乾電池収納時に前記乾電池収納ケース４のコーナに向けて、前記単一形乾電池、前記単二形乾電池、前記単三形乾電池のそれぞれの側面を押えるように、前記第二面部材５ｇの中央面に曲面を有する凸状に形成されたものである。
【００５１】
前記第二接続端子５ｂは、金属材料からなり、前記第一面部材５ｆであって前記凸状に形成された前記押さえ部５ｄの両端面の下部に設けられ、前記単一形乾電池、前記単二形乾電池、前記単三形乾電池のそれぞれの電極に対応する導電性を有する突起が形成されているものであり、図２（Ａ）に示すように、前記第二接続端子５ｂの後端部から図示を省略した接続ケーブルによって前記電子機器本体１内の電子回路基板に接続されている。
【００５２】
なお、前記仕切り部材５には、前記ガイド部４ａを移動するためのつまみ５ｃを前記押さえ部５ｄの上部に設けており、前記つまみ５ｃは前記押さえ部５ｄと一体的に形成している。
【００５３】
このように構成される前記仕切り部材５は、前記係合部５ａを前記ガイド部４ａに沿って移動させることで、前記単一形乾電池、前記単二形乾電池、前記単三形乾電池のいずれかの直径、長さに対応するように、前記乾電池収納スペース４ｇを形成するものとなっている。
【００５４】
前記ガイド部４ａは、前記乾電池の電極面に対向し、前記乾電池の側面に当接する前記仕切り部材５の、前記係合部５ａを係合し且つ移動させるための前記乾電池の電極面に平行な方向に設けた第一移動部４ａｄと、前記第一移動部４ａｄに連結され、前記乾電池の電極面に垂直な方向に設けた複数の第二移動部４ａａ、４ａｂ、４ａｃとからなっている。
【００５５】
前記複数の第二移動部４ａａ、４ａｂ、４ａｃは、前記乾電池収納ケース４に前記複数の異なる大きさの乾電池を収納した時、各乾電池の直径にそれぞれ対応して前記第一移動部４ａｄの位置から連続して設けられ、更に、前記複数の第二移動部４ａａ、４ａｂ、４ａｃの長さは、収納される前記複数の異なる大きさの乾電池の長さに対応する長さとなっている。
【００５６】
例えば、図２（Ｅ）に示すように、前記ガイド部４ａには、前記第一移動部４ａｄと前記第二移動部４ａａ、４ａｂ、４ａｃの一端とを連結したガイド孔を構成し、前記単一形乾電池の直径、長さに対応した位置に単一形乾電池用第二移動部４ａａを、前記単二形乾電池の直径、長さに対応した位置に単二形乾電池用第二移動部４ａｂを、前記単三形乾電池の直径、長さに対応した位置に単三形乾電池用第二移動部４ａｃをそれぞれ形成している。
【００５７】
更に、前記ガイド部４ａは前記係合部５ａに対応するように上下に２箇所ずつ形成されている。
【００５８】
なお、図２（Ｂ）に示すように、前記乾電池収納ケース４の前面には、前記仕切り部材５の前記第二接続端子５ｂの前端を通過させるための端子用挿通孔４ｂを形成している。
【００５９】
以上説明してきた本発明の前記乾電池収納装置２の各構成によれば、前記乾電池収納ケース４内に前記ガイド部４ａを介して装着された前記仕切り部材５を、すなわち、前記仕切り部材５の前記係合部５ａが前記ガイド部４ａの前記第一移動部４ａｄを介して、前記単一形乾電池用第二移動部４ａａ、前記単二形乾電池用第二移動部４ａｂ、前記単三形乾電池用第二移動部４ａｃのいずれか１つに移動することによって、前記仕切り部材５を移動させ、前記単一形乾電池、前記単二形乾電池、前記単三形乾電池の複数の異なる大きさに対応する前記乾電池収納スペース４ｇを形成可能にする。
【００６０】
次に、以上説明してきた本発明による前記乾電池収納装置２の前記乾電池収納ケース４に、前記単一形乾電池、前記単二形乾電池、前記単三形乾電池のいずれかを２本ずつ収納した状態を、図３（Ａ）乃至図３（Ｆ）に基づき説明する。
【００６１】
図３（Ａ）及び図３（Ｂ）に示すように、前記単一形乾電池を収納するときには、前記固定ネジ３ｂを緩めて前記電池蓋３を外した上で、前記仕切り部材５の前記係合部５ａを前記つまみ５ｃを使用して、前記乾電池収納ケース４の前記ガイド部４ａの前記第一移動部４ａｄを介して前記単一形乾電池用第二移動部４ａａへ移動させる。
【００６２】
この前記仕切り部材５の移動によって、前記乾電池収納ケース４内に前記単一形乾電池の直径、長さに対応する前記乾電池収納スペース４ｇ（網かけ部分）が形成される。
【００６３】
前記乾電池収納ケース４の前記開口部４ｄから前記単一形乾電池を２本装着し、前記電池蓋３を前記固定ネジ３ｂで締付けて前記乾電池収納ケース４に固定させる。
【００６４】
このように、前記乾電池収納ケース４に前記単一形乾電池が収納された状態は、前記仕切り部材５の前記第二面部材５ｇに設けられた前記押さえ部５ｄの前記曲面と前記乾電池収納ケース４のコーナに連続する内面のそれぞれと前記単一形乾電池の側面が当接されるとともに、前記仕切り部材５の前記第二接続端子５ｂと前記電池蓋３の前記第一接続端子３ｄに前記単一形乾電池の電極がそれぞれ接続される状態となる。
【００６５】
更に、前記電池蓋３の前記突起部３ｃと前記仕切り部材５の前記位置決め部５ｅとが当接するようになっているので、前記ガイド部４ａと前記仕切り部材５とは左右上下で強固に固定された状態となる。
【００６６】
また、図３（Ｃ）及び図３（Ｄ）に示すように、前記単二形乾電池を収納するときには、前記固定ネジ３ｂを緩めて前記電池蓋３を外した上で、前記仕切り部材５の前記係合部５ａを前記つまみ５ｃを使用して、前記乾電池収納ケース４の前記ガイド部４ａの前記第一移動部４ａｄを介して前記単二形乾電池用第二移動部４ａｂへ移動させる。
【００６７】
この前記仕切り部材５の移動によって、前記乾電池収納ケース４内に前記単二形乾電池の直径、長さに対応する前記乾電池収納スペース４ｇ（網かけ部分）が形成される。
【００６８】
前記乾電池収納ケース４の前記開口部４ｄから前記単二形乾電池を２本装着し、前記電池蓋３を前記固定ネジ３ｂで締付けて前記乾電池収納ケース４に固定させる。
【００６９】
このように、前記乾電池収納ケース４に前記単二形乾電池が収納された状態は、前記仕切り部材５の前記第二面部材５ｇに設けられた前記押さえ部５ｄの前記曲面と前記乾電池収納ケース４のコーナに連続する内面のそれぞれと前記単二形乾電池の側面が当接されるとともに、前記仕切り部材５の前記第二接続端子５ｂと前記電池蓋３の前記第一接続端子３ｄに前記単二形乾電池の電極がそれぞれ接続される状態となる。
【００７０】
更に、前記電池蓋３の裏面と前記仕切り部材５の前記位置決め部５ｅとが当接するようになっているので、前記ガイド部４ａと前記仕切り部材５とは左右上下で強固に固定された状態となる。
【００７１】
また、図３（Ｅ）及び図３（Ｆ）に示すように、前記単三形乾電池を収納するときには、前記固定ネジ３ｂを緩めて前記電池蓋３を外した上で、前記仕切り部材５の前記係合部５ａを前記つまみ５ｃを使用して、前記乾電池収納ケース４の前記ガイド部４ａの前記第一移動部４ａｄを介して前記単三形乾電池用第二移動部４ａｃへ移動させる。
【００７２】
この前記仕切り部材５の移動によって、前記乾電池収納ケース４内に前記単三形乾電池の直径、長さに対応する前記乾電池収納スペース４ｇ（網かけ部分）が形成される。
【００７３】
前記乾電池収納ケース４の前記開口部４ｄから前記単三形乾電池を２本装着し、前記電池蓋３を前記固定ネジ３ｂで締付けて前記乾電池収納ケース４に固定させる。
【００７４】
このように、前記乾電池収納ケース４に前記単三形乾電池が収納された状態は、前記仕切り部材５の前記第二面部材５ｇに設けられた前記押さえ部５ｄの前記曲面と前記乾電池収納ケース４のコーナに連続する内面のそれぞれと前記単三形乾電池の側面が当接されるとともに、前記仕切り部材５の前記第二接続端子５ｂと前記電池蓋３の前記第一接続端子３ｄに前記単三形乾電池の電極がそれぞれ接続される状態となる。
【００７５】
更に、前記電池蓋３の裏面と前記仕切り部材５の前記位置決め部５ｅとが当接するようになっているので、前記ガイド部４ａと前記仕切り部材５とは左右上下で強固に固定された状態となる。
【００７６】
なお、前記単三形乾電池が収納されたときは、前記乾電池収納ケース４の前記端子用挿通孔４ｂより前記仕切り部材５の前記第二接続端子５ｂの前端が外部に突出した状態となる。
【００７７】
これまで説明してきたように、本発明による前記乾電池収納装置２によれば、前記単一形乾電池、前記単二形乾電池、前記単三形乾電池を選択的に収納できるようにした前記乾電池収納装置２において、前記乾電池収納ケース４に前記ガイド部４ａとして前記第一移動部４ａｄと前記第二移動部４ａａ、４ａｂ、４ａｃとを設け、前記仕切り部材５に前記第一面部材５ｆと前記第二面部材５ｇを設け、前記第二面部材５ｆに前記係合部５ａを設けているため、前記仕切り部材５を動かすだけの操作により前記乾電池収納スペース４ｇを形成することができ、乾電池の装着を容易にし、乾電池の確実な固定および乾電池収納スペースの小型化を可能とする構造を実現することができる。
【００７８】
また、前記ガイド部４ａは前記乾電池収納ケース４の対向する前記２面４ｅ、４ｆに上下２箇所設け、前記係合部５ａは前記仕切り部材５の前記第二面部材５ｇに上下２箇所設けているため、前記仕切り部材５と前記乾電池収納ケース４とをより安定した状態に保持することができ、前記乾電池のより確実な固定を実現することができる。
【００７９】
また、前記押さえ部５ｄは前記乾電池収納ケース４のコーナに前記乾電池を押えるように凸状に形成しているため、前記乾電池のより確実な固定を実現することができる。
【００８０】
更に、前記乾電池収納装置２を前記電子機器本体１に備えたことにより、前記乾電池収納ケース４を収納可能な最大の前記単一形乾電池より一回り大きい程度のサイズにすることができるので、前記電子機器本体１の小型化に寄与することができる。
【００８１】
以上説明してきた本実施例１では、前記単一形乾電池、前記単二形乾電池、前記単三形乾電池の３種類のいずれかを２本ずつ収納する前記乾電池収納ケース４としたが、本発明はこれに限るものではなく、複数の大きさの乾電池を選択的に収納する乾電池収納ケースであればよく、単二形乾電池、単三形乾電池、単四形乾電池の３種類のいずれかを２本ずつ収納する乾電池収納ケースとしてもよく、この場合には、乾電池収納ケースのガイド部と仕切り部材の各構成を単二形乾電池、単三形乾電池、単四形乾電池の３種類に対応するように形成することにより実現できる。
【００８２】
また、前記単一形乾電池、前記単二形乾電池、前記単三形乾電池の３種類のいずれかを１本ずつ収納するようにしてもよく、この場合には、電池蓋の第一接続端子、乾電池収納ケースのガイド部および仕切り部材の各構成を単一形乾電池、単二形乾電池、単三形乾電池の３種類の１本に対応するように形成し、特に押さえ部の形状を各乾電池に合った所定の形状とすることにより実現できる。
【００８３】
更に、単一形乾電池、単二形乾電池、単三形乾電池、単四形乾電池の４種類のいずれかを２本ずつ収納する乾電池収納ケースとしてもよく、後述の実施例２で詳細に説明する。
【００８４】
本実施例１では、前記仕切り部材５と前記乾電池収納ケース４とをより安定した状態に保持し、前記乾電池のより確実な固定を実現するために、前記ガイド部４ａは前記乾電池収納ケース４に対向する前記２面４ｅ、４ｆに上下２箇所設け、前記係合部５ａは前記仕切り部材５の前記第二面部材５ｇに上下２箇所設けるようにしたが、本発明はこれに限るものではなく、前記ガイド部４ａは前記乾電池収納ケース４の対向する前記２面４ｅ、４ｆに１箇所設け、前記係合部５ａは前記仕切り部材５の前記第二面部材５ｇに１箇所設けるようにした場合も適用できる。
【００８５】
更に、前記ガイド部４ａにガイド孔を形成するようにしたが、本発明はこれに限るものではなく、前記ガイド孔のように前記乾電池収納ケース４の外側から見えないよう塞がれたガイド溝を形成した場合も適用できる。また、前記電池蓋３に前記第一接続端子３ｄを設けるようにしたが、本発明はこれに限るものではなく、前記仕切り部材５の前記第二接続端子５ｂと対向する前記乾電池収納ケース４の一面に設けた場合も適用できる。
【００８６】
次に、本実施例１の応用例について説明すると、前記つまみ部５ｃ、前記ガイド部４ａ、前記開口部４ｄのそれぞれの周縁に発光体を塗布や接着等により形成することによって、夜間などで照明のない状況で前記乾電池を交換する時にも、前記乾電池の装着をスムーズに行うことができる。なお、前記発光体は例えば、蛍光部材、蓄光部材、図示しないボタン形小型電池を電源とし発光するＬＥＤ等で構成され、発光するものであれば良い。
【００８７】
次に、前記ガイド部４ａのいくつかの形成例について説明すると、図２（Ｅ）では、前記ガイド部４ａを上下に２箇所設け、前記第一移動部４ａｄと前記単一形乾電池用第二移動部４ａａ同士が上下で連結されないように、前記単一形乾電池用第二移動部４ａａと前記単二形乾電池用第二移動部４ａｂとの間の前記第一移動部４ａｄに段差Ｇ（網かけ部分）を設けていたが、図４（Ａ）に示すように、ガイド部６ａは単一形乾電池用第二移動部６ａａと単二形乾電池用第二移動部６ａｂとの間の第一移動部６ａｄを直線状とし、単一形乾電池用第二移動部６ａａを上下で連結するようにしている。
【００８８】
これによって、前記ガイド部６ａを前記係合部５ａと前記単一形乾電池用第二移動部６ａａとの係合関係を保持しながら、その形状を簡単にすることができる。
【００８９】
また、図４（Ｂ）に示すように、ガイド部７ａは単一形乾電池用第二移動部７ａａと単二形乾電池用第二移動部７ａｂとの間の第一移動部７ａｄを、図２（Ｅ）のような形状に加え、前記単二形乾電池用第二移動部７ａｂから上方に平行に延長し、途中で直角に折り曲げて再び下方に延長し、前記単一形乾電池用第二移動部７ａａに連結するように、前記第一移動部７ａｄに段差Ａ（網かけ部分）を設けている。
【００９０】
これによって、図２（Ｅ）のような形状と比べて、前記係合部５ａが前記単一形乾電池用第二移動部７ａａまたは単三形乾電池用第二移動部７ａｃから前記単二形乾電池用第二移動部７ａｂへ移動する際に、一旦、前記段差Ａの側面Ｂに当り止まることになるため、前記単二形乾電池用第二移動部７ａｂへ導き易くすることができる。
【００９１】
また、図４（Ｃ）に示すように、ガイド部８ａは単二形乾電池用第二移動部８ａｂと単三形乾電池用第二移動部８ａｃとの間の第一移動部８ａｄを、図２（Ｅ）のような形状に加え、前記単二形乾電池用第二移動部８ａｂから上方に平行に延長し、途中で直角に折り曲げて再び下方に延長し、前記単三形乾電池用第二移動部８ａｃに連結するように、前記第一移動部８ａｄに段差Ｃ（網かけ部分）を設けている。
【００９２】
これによって、図２（Ｅ）のような形状と比べて、前記係合部５ａが単一形乾電池用第二移動部８ａａまたは前記単三形乾電池用第二移動部８ａｃから前記単二形乾電池用第二移動部８ａｂへ移動する際に、一旦、前記段差Ｃの側面Ｄに当り止まることになるため、前記単二形乾電池用第二移動部８ａｂへ導き易くすることができる。
【００９３】
更に、図４（Ｄ）に示すように、図２（Ｅ）のような形状に加え、図４（Ａ）および図４（Ｃ）を組合わせ、前記第一移動部９ａｄに段差Ｅ（網かけ部分）を設けている。
【００９４】
これによって、図２（Ｅ）のような形状と比べて、前記係合部５ａが単一形乾電池用第二移動部８ａａまたは前記単三形乾電池用第二移動部８ａｃから前記単二形乾電池用第二移動部８ａｂへ移動する際に、一旦、前記段差Ｅの側面Ｆに当り止まることになるため、前記単二形乾電池用第二移動部８ａｂへ導き易くするとともに、その形状を簡単にすることができる。
【００９５】
従って、図４（Ｂ）乃至図４（Ｄ）に示すように、前記ガイド部７ａ、８ａ、９ａの前記第一移動部７ａｄ、８ａｄ、９ａｄに前記段差Ａ、Ｃ、Ｅを設けているため、これまで装着されていた乾電池とは異なる直径、長さの乾電池に交換する時に、それぞれの第二移動部へスムーズに移動させることができる。
【実施例２】
【００９６】
次に、本発明による乾電池収納装置の実施例２を図５及び図６を用いて説明する。この実施例２では、直径、長さが異なる単一形乾電池、単二形乾電池、単三形乾電池、単四形乾電池の４種類のいずれかを選択的に２本ずつ収納するように構成されている。
【００９７】
なお、前記単一形乾電池、前記単二形乾電池、前記単三形乾電池、前記単四形乾電池それぞれの直径と長さは、前記単一形乾電池の直径をＲ１、長さをＬ１とし、前記単二形乾電池の直径をＲ２、長さをＬ２とし、前記単三形乾電池の直径をＲ３、長さをＬ３とし、前記単四形乾電池の直径をＲ４、長さをＬ４とすると、Ｌ２≒Ｌ３の条件で、Ｒ１＞Ｒ２＞Ｒ３＞Ｒ４、Ｌ１＞Ｌ２＞Ｌ４、Ｌ１＞Ｌ３＞Ｌ４の関係になる。
【００９８】
まず、乾電池収納装置１０を各構成に分解し説明すると、図５（Ａ）乃至図５（Ｄ）に示すように、前記乾電池収納装置１０は、乾電池を出し入れする開口部１２ｄが設けられた乾電池収納ケース１２と、前記開口部１２ｄを覆う電池蓋１１と、前記乾電池収納ケース１２と前記電池蓋１１と併せて乾電池収納スペース１２ｇを形成する仕切り部材１３とから構成されている。また、前記電池蓋１１には、乾電池収納時に前記乾電池の一方の電極面（図示せず）に対向する位置に第一接続端子１１ｄが設けられている。
【００９９】
前記乾電池収納ケース１２は、前記単一形乾電池、前記単二形乾電池、前記単三形乾電池、前記単四形乾電池のいずれかを選択的に２本ずつ収納できる箱状に形成されており、対向する２面１２ｅ、１２ｆに、前記仕切り部材１３を係合し且つ移動可能にするガイド部１２ａを設けている。
【０１００】
また、図５（Ａ）及び図５（Ｂ）では、前記乾電池収納ケースと前記電池蓋と併せて、前記乾電池収納スペース１２ｇを形成するように、前記乾電池収納ケース１２内に前記単一形乾電池を２本収納されている状態に前記仕切り部材１３が配置されている。
【０１０１】
前記開口部１２ｄは、前記乾電池収納ケース１２の上面に前記単一形乾電池を２本出し入れ可能な開口の大きさに形成されており、前記開口部１２ｄの前端中央に、前記電池蓋１１を固定するためのネジ穴を形成した固定部１２ｃを備えている。
【０１０２】
前記電池蓋１１は、前記単一形乾電池、前記単二形乾電池、前記単三形乾電池、前記単四形乾電池に共通に使用され、乾電池収納時に前記単一形乾電池、前記単二形乾電池、前記単三形乾電池、前記単四形乾電池のいずれかの一方の電極面、すなわち、＋電極または−電極がある面に対向する第一接続端子１１ｄを裏面前方に備えるとともに、前記電池蓋１１の裏面後方の両端に前記単一形乾電池、前記単二形乾電池、前記単三形乾電池を収納したときに、前記仕切り部材１３と当接する突起部１１ｃを備えている。
【０１０３】
前記突起部１１ｃは、前記単一形乾電池を収納したときに、前記仕切り部材１３と当接する第一突起部１１ｃａと、前記単二形乾電池、前記単三形乾電池を収納したときに、前記仕切り部材１３と当接する第二突起部１１ｃｂとから構成され、前記乾電池の長さの関係に対応している。
【０１０４】
更に、前記電池蓋１１の前端中央には、前記乾電池収納ケース１２の前記開口部１２ｄを覆って固定するためにネジを挿通する挿通部１１ａを備え、固定ネジ１１ｂにより締付けることで、前記電池蓋１１が前記乾電池収納ケース１２に固定されるようになっている。
【０１０５】
前記仕切り部材１３は、少なくとも、乾電池収納時に前記単一形乾電池、前記単二形乾電池、前記単三形乾電池、前記単四形乾電池のいずれかの他方の電極面、すなわち、＋電極または−電極がある面に対向する第一面部材１３ｆと、前記単一形乾電池、前記単二形乾電池、前記単三形乾電池、前記単四形乾電池のいずれかの側面に当接する第二面部材１３ｇとからなっており、前記第一面部材１３ｆには第二接続端子１３ｂを設け、前記第二面部材１３ｇには前記ガイド部１２ａに係合させるための係合部１３ａを設けたものとなっている。
【０１０６】
前記第二接続端子１３ｂは例えば、前記第一面部材１３ｆの上面に設けたものであり、前記単一形乾電池、前記単二形乾電池、前記単三形乾電池、前記単四形乾電池に共通に対応する接続端子となっている。また、前記係合部１３ａは例えば、前記第二面部材１３ｇの左右の端面に設けたものであり、前記第二面部材１３ｇの上下に延びる端面から左右に突出するように２箇所ずつ形成されている。
【０１０７】
更に、前記第二面部材１３ｇには、前記係合部１３ａに加え、前記第二面部材１３ｇの上端面に前記電池蓋３に当接する位置決め部１３ｅと、前記第二面部材１３ｇの中央面に前記単一形乾電池、前記単二形乾電池、前記単三形乾電池、前記単四形乾電池のいずれかの側面を押える押さえ部１３ｄとを設けており、前記位置決め部１３ｅは前記係合部１３ａの前記第二面部材１３ｇの左右の上端面から上に突出するように形成されている。
【０１０８】
前記仕切り部材１３は例えば、前記第一面部材１３ｆと前記第二面部材１３ｇとを一体的に形成し、かつ、前記第二面部材１３ｇに設けた前記係合部１３ａと前記押さえ部１３ｄおよび前記位置決め部１３ｅとを一体的に形成し、これに前記第一面部材５ｆに設けた前記第二接続端子１３ｂを固定したものとなっている。
【０１０９】
前記押さえ部１３ｄは、乾電池収納時に前記乾電池収納ケース１２のコーナに向けて、前記単一形乾電池、前記単二形乾電池、前記単三形乾電池、前記単四形乾電池のそれぞれの側面を押えるように、前記第二面部材１３ｇの中央面に曲面を有する凸状に形成されたものである。
【０１１０】
前記第二接続端子１３ｂは、金属材料からなり、前記第一面部材１３ｆであって前記凸状に形成された前記押さえ部１３ｄの両端面の下部に設けられ、前記単一形乾電池、前記単二形乾電池、前記単三形乾電池、前記単四形乾電池のそれぞれの電極に対応する導電性を有する突起が形成されているものであり、図５（Ａ）に示すように、前記第二接続端子１３ｂの後端部から図示を省略した接続ケーブルによって前記電子機器本体１内の電子回路基板に接続されている。
【０１１１】
更に、前記仕切り部材１３には、前記ガイド部１２ａを移動するためのつまみ１３ｃを前記押さえ部１３ｄの上部に設けており、前記つまみ１３ｃは前記押さえ部１３ｄと一体的に形成している。
【０１１２】
なお、前記単一形乾電池乃至前記単四形乾電池を収納可能とするため、前記実施例１と比べて、前記仕切り部材１３の高さを低く、前記第二接続端子１３ｂの横幅を広く設定している。また、前記押さえ部１３ｄの前記凸状の曲面も変形されている。
【０１１３】
このように構成される前記仕切り部材１３は、前記係合部１３ａを前記ガイド部１２ａに沿って移動させることで、前記単一形乾電池、前記単二形乾電池、前記単三形乾電池、前記単四形乾電池のいずれかの直径、長さに対応するように、前記乾電池収納スペース１２ｇを形成するものとなっている。
【０１１４】
前記ガイド部１２ａは、前記乾電池の電極面に対向し、前記乾電池の側面に当接する前記仕切り部材１３の、前記係合部１３ａを係合し且つ移動させるための前記乾電池の電極面に平行な方向に設けた第一移動部１２ａｅと、前記第一移動部１２ａｅに連結され、前記乾電池の電極面に垂直な方向に設けた複数の第二移動部１２ａａ、１２ａｂ、１２ａｃ、１２ａｄとからなっている。
【０１１５】
前記複数の第二移動部１２ａａ、１２ａｂ、１２ａｃ、１２ａｄは、前記乾電池収納ケース１２に前記複数の異なる大きさの乾電池を収納した時、各乾電池の直径にそれぞれ対応して前記第一移動部１２ａｅの位置から連続して設けられ、更に、前記複数の第二移動部１２ａａ、１２ａｂ、１２ａｃ、１２ａｄの長さは、収納される前記複数の異なる大きさの乾電池の長さに対応する長さとなっている。
【０１１６】
例えば、図５（Ｅ）に示すように、前記ガイド部１２ａは、前記第一移動部１２ａｅと前記第二移動部１２ａａ、１２ａｂ、１２ａｃ、１２ａｄの一端とを連結したガイド孔により構成され、前記単一形乾電池の直径、長さに対応した位置に単一形乾電池用第二移動部１２ａａを、前記単二形乾電池の直径、長さに対応した位置に単二形乾電池用第二移動部１２ａｂを、以下同様に、前記単三形乾電池、前記単四形乾電池の直径、長さに対応した位置に単三形乾電池用第二移動部１２ａｃ、単四形乾電池用第二移動部１２ａｄをそれぞれ形成している。
【０１１７】
更に、前記ガイド部１２ａは前記係合部１３ａに対応するように上下に２箇所ずつ形成されている。
【０１１８】
なお、図５（Ｂ）に示すように、前記乾電池収納ケース１２の前面には、前記仕切り部材１３の前記第二接続端子１３ｂの前端を通過させるための端子用挿通孔１２ｂを形成している。
【０１１９】
以上説明してきた本発明の前記乾電池収納装置１０の各構成によれば、前記実施例１と同様に、前記乾電池収納ケース１２内に前記ガイド部１２ａを介して装着された前記仕切り部材１３を、すなわち、前記仕切り部材１３の前記係合部１３ａが前記ガイド部１２ａの前記第一移動部１２ａｅを介して、前記単一形乾電池用第二移動部１２ａａ、前記単二形乾電池用第二移動部１２ａｂ、前記単三形乾電池用第二移動部１２ａｃ、前記単四形乾電池用第二移動部１２ａｄのいずれか１つに移動することによって、前記仕切り部材１３を移動させ、前記単一形乾電池、前記単二形乾電池、前記単三形乾電池、前記単四形乾電池の複数の異なる大きさに対応する前記乾電池収納スペース１２ｇを形成可能にする。
【０１２０】
次に、以上説明してきた本発明による前記乾電池収納装置１０の前記乾電池収納ケース１２に、前記単四形乾電池を２本ずつ収納した状態を、図６（Ａ）及び図６（Ｂ）に基づき説明する。なお、前記単一形乾電池、前記単二形乾電池、前記単三形乾電池のいずれかを２本ずつ収納した状態については、前記実施例１で説明した内容と略同等となるため、相違する構成を中心に説明することとする。
【０１２１】
図６（Ａ）及び図６（Ｂ）に示すように、前記固定ネジ１１ｂを緩めて前記電池蓋１１を外した上で、前記仕切り部材１３の前記係合部１３ａを前記つまみ１３ｃを使用して、前記乾電池収納ケース１２の前記ガイド部１２ａの前記第一移動部１２ａｅを介して前記単四形乾電池用第二移動部１２ａｄへ移動させる。
【０１２２】
この前記仕切り部材１３の移動によって、前記乾電池収納ケース１２内に前記単四形乾電池の直径、長さに対応する前記乾電池収納スペース１２ｇ（網かけ部分）が形成される。
【０１２３】
前記乾電池収納ケース１２の前記開口部１２ｄから前記単四形乾電池を２本装着し、前記電池蓋１１を前記固定ネジ１１ｂで締付けて前記乾電池収納ケース１２に固定させる。
【０１２４】
このように、前記乾電池収納ケース１２に前記単四形乾電池が収納された状態は、前記仕切り部材１３の前記第二面部材１３ｇに設けられた前記押さえ部１３ｄの前記曲面と前記乾電池収納ケース１２のコーナに連続する内面のそれぞれと前記単四形乾電池の側面が当接されるとともに、前記仕切り部材１３の前記第二接続端子１３ｂと前記電池蓋１１の前記第一接続端子１１ｄに前記単四形乾電池の電極がそれぞれ接続される状態となる。
【０１２５】
更に、前記電池蓋１１の裏面と前記仕切り部材１３の前記位置決め部１３ｅとが当接するようになっているので、前記ガイド部１２ａと前記仕切り部材１３とは左右上下で強固に固定された状態となる。
【０１２６】
なお、前記単四形乾電池が収納されたときは、前記乾電池収納ケース１２の前記端子用挿通孔１２ｂより前記仕切り部材１３の前記第二接続端子１３ｂの前端が外部に突出した状態となる。
【０１２７】
また、前記単一形乾電池が収納されたときには、前記電池蓋１３の前記突起部１１ｃである前記第一突起部１１ｃａと前記仕切り部材１３の前記位置決め部１３ｅとが当接するようになっているので、前記ガイド部１２ａと前記仕切り部材１３とは左右上下で強固に固定された状態となる。
【０１２８】
更に、前記単二形乾電池または前記単三形乾電池が収納されたときには、前記電池蓋１３の前記突起部１１ｃである前記第二突起部１１ｃｂと前記仕切り部材１３の前記位置決め部１３ｅとが当接するようになっているので、前記ガイド部１２ａと前記仕切り部材１３とは左右上下で強固に固定された状態となる。
【０１２９】
これまで説明してきたように、本発明による前記乾電池収納装置１０によれば、前記実施例１と同様に、前記単一形乾電池、前記単二形乾電池、前記単三形乾電池、前記単四形乾電池を選択的に収納できるようにした前記乾電池収納装置１０において、前記乾電池収納ケース１２に前記ガイド部１２ａとして前記第一移動部１２ａｅと前記第二移動部１２ａａ、１２ａｂ、１２ａｃ、１２ａｄとを設け、前記仕切り部材１３に前記第一面部材１３ｆと前記第二面部材１３ｇを設け、前記第二面部材１３ｇに前記係合部１３ａを設けているため、前記仕切り部材１３を動かすだけの操作により前記乾電池収納スペース１２ｇを形成することができ、乾電池の装着を容易にし、乾電池の確実な固定および乾電池収納スペースの小型化を可能とする構造を実現することができる。
【０１３０】
また、前記実施例１と同様に、前記ガイド部１２ａは前記乾電池収納ケース１２の対向する前記２面１２ｅ、１２ｆに上下２箇所設け、前記係合部１３ａは前記仕切り部材１３の前記第二面部材１３ｇに上下２箇所設けているため、前記仕切り部材１３と前記乾電池収納ケース１２とをより安定した状態に保持することができ、前記乾電池のより確実な固定を実現することができる。
【０１３１】
また、前記実施例１と同様に、前記押さえ部１３ｄは前記乾電池収納ケース１２のコーナに前記乾電池を押えるように凸状に形成しているため、前記乾電池のより確実な固定を実現することができる。
【０１３２】
また、前記実施例１と同様に、前記乾電池収納装置１０を前記電子機器本体１に備えたことにより、前記電子機器本体１の小型化に寄与することができる。
【０１３３】
また、前記実施例１と同様に、前記ガイド部１２ａを前記乾電池収納ケース１２の対向する前記２面１２ｅ、１２ｆに１箇所設け、前記係合部１３ａを前記仕切り部材１３の前記第二面部材１３ｇに１箇所設けるようにした場合も適用できる。
【０１３４】
更に、前記実施例１と同様に、前記ガイド孔のように前記乾電池収納ケース１２の外側から見えないよう塞がれたガイド溝を形成した場合も適用できる。また、前記実施例１と同様に、前記第一接続端子１１ｄを、前記仕切り部材１３の前記第二接続端子１３ｂと対向する前記乾電池収納ケース１２の一面に設けた場合も適用できる。
【０１３５】
更に、前記実施例１と同様に、前記つまみ部１３ｃ、前記ガイド部１２ａ、前記開口部１２ｄのそれぞれの周縁に発光体を塗布や接着等により形成することによって、夜間などで照明のない状況で前記乾電池を交換する時にも、前記乾電池の装着をスムーズに行うことができる。
【実施例３】
【０１３６】
次に、本発明による乾電池収納装置の実施例３を図７乃至図９を用いて説明する。この実施例３では、前記実施例１と同様に、直径、長さが異なる単一形乾電池、単二形乾電池、単三形乾電池の３種類のいずれかを選択的に２本ずつ収納するように構成されている。なお、前記実施例１で説明した内容と同等な構成については極力説明を省略することとし、相違する構成を中心に説明する。
【０１３７】
前記乾電池収納装置１４を各構成に分解し説明すると、図７に示すように、前記乾電池収納装置１４は、乾電池収納ケース１６と、開口部１６ｅと、電池蓋１５と、仕切り部材１７と、ガイド部１６ａとから構成されている。
【０１３８】
前記開口部１６ｅの前端中央に固定部１６ｃを備え、前記電池蓋１５は第一接続端子１５ｄと突起部１５ｃとを備え、前記電池蓋１５の前端中央に挿通部１５ａを設けている。固定ネジ１５ｂは前記挿通部１５ａに挿通するものである。
【０１３９】
前記仕切り部材１７には、その両端面に係合部１７ａと位置決め部１７ｅを、その中央面に押さえ部１７ｄを、その底面に第二接続端子１７ｂをそれぞれ設けており、前記第二接続端子１７ｂは前記実施例１と相違した構成として、前記単二形乾電池、前記単三形乾電池に共通の接続端子となっており、前記第二接続端子１７ｂは前記押さえ部１７ｄの両端面の下部に設けられ、前記単二形乾電池、前記単三形乾電池のそれぞれの電極に対応する導電性を有する突起が形成されている。更に、前記仕切り部材１７には、前記押さえ部１７ｄの上部につまみ１７ｃを設けている。
【０１４０】
また、前記実施例１と相違した構成として、前記乾電池収納ケース１６の前面下部には、前記単一形乾電池の接続端子となる導電性を有する第三接続端子１６ｄを設けている。更に、図７の前記第三接続端子１６ｄの前端部から図示を省略した接続ケーブルによって前記電子機器本体１内の電子回路基板に接続されている。
【０１４１】
前記ガイド部１６ａには、図８に示すように、第一移動部１６ａｄと、複数の第二移動部とを設けており、それぞれ、単一形乾電池用第二移動部１６ａａ、単二形乾電池用第二移動部１６ａｂ、単三形乾電池用第二移動部１６ａｃを構成している。
【０１４２】
なお、図７に示すように、前記乾電池収納ケース１６の前面には、前記仕切り部材１７の前記第二接続端子１７ｂの前端を通過させるための端子用挿通孔１６ｂを形成している。
【０１４３】
次に、以上説明してきた本発明による前記乾電池収納装置１４の前記乾電池収納ケース１６に、前記単一形乾電池、前記単二形乾電池、前記単三形乾電池のいずれかを２本ずつ収納した状態を説明する。
【０１４４】
図９（Ａ）及び図９（Ｂ）に示すように、前記単一形乾電池を収納するときには、前記実施例１と同様に、前記固定ネジ１５ｂを緩めて前記電池蓋１５を外した上で、前記仕切り部材１７の前記係合部１７ａを、前記乾電池収納ケース１６の前記第一移動部１６ａｄを介して前記単一形乾電池用第二移動部１６ａａへ移動させることにより、前記乾電池収納ケース１６内に前記単一形乾電池の直径、長さに対応する乾電池収納スペース１６ｈ（網かけ部分）を形成する。
【０１４５】
前記乾電池収納ケース１６の前記開口部１６ｅから前記単一形乾電池を２本装着し、前記電池蓋１５を前記乾電池収納ケース１６に固定させる。
【０１４６】
このように、前記乾電池収納ケース１６に前記単一形乾電池が収納された状態は、前記仕切り部材１７の第二面部材１７ｇに設けられた前記押さえ部１７ｄの曲面と前記乾電池収納ケース１６のコーナに連続する内面のそれぞれと前記単一形乾電池の側面が当接されるとともに、前記乾電池収納ケース１６の前記第三接続端子１６ｄと前記電池蓋１５の前記第一接続端子１５ｄに前記単一形乾電池の電極がそれぞれ接続される状態となる。
【０１４７】
更に、前記電池蓋１５の前記突起部１５ｃと前記仕切り部材１７の前記位置決め部１７ｅとが当接するようになっているので、前記仕切り部材１７は左右上下で強固に固定された状態となる。
【０１４８】
また、図９（Ｃ）及び図９（Ｄ）に示すように、前記単二形乾電池を収納するときには、前記実施例１と同様に、前記固定ネジ１５ｂを緩めて前記電池蓋１５を外した上で、前記仕切り部材１７の前記係合部１７ａを、前記乾電池収納ケース１６の前記第一移動部１６ａｄを介して前記単二形乾電池用第二移動部１６ａｂへ移動させることにより、前記乾電池収納ケース１６内に前記単二形乾電池の直径、長さに対応する前記乾電池収納スペース１６ｈ（網かけ部分）を形成する。
【０１４９】
前記乾電池収納ケース１６の前記開口部１６ｅから前記単二形乾電池を２本装着し、前記電池蓋１５を前記乾電池収納ケース１６に固定させる。
【０１５０】
このように、前記乾電池収納ケース１６に前記単二形乾電池が収納された状態は、前記実施例１と同様であるので、説明を省略する。
【０１５１】
また、図９（Ｅ）及び図９（Ｆ）に示すように、前記単三形乾電池を収納するときには、前記実施例１と同様に、前記固定ネジ１５ｂを緩めて前記電池蓋１５を外した上で、前記仕切り部材１７の前記係合部１７ａを、前記乾電池収納ケース１６の前記第一移動部１６ａｄを介して前記単三形乾電池用第二移動部１６ａｃへ移動させることにより、前記乾電池収納ケース１６内に前記単三形乾電池の直径、長さに対応する前記乾電池収納スペース１６ｈ（網かけ部分）を形成する。
【０１５２】
前記乾電池収納ケース１６の前記開口部１６ｅから前記単三形乾電池を２本装着し、前記電池蓋１５を前記乾電池収納ケース１６に固定させる。
【０１５３】
このように、前記乾電池収納ケース１６に前記単三形乾電池が収納された状態は、前記実施例１と同様であるので、説明を省略する。
【０１５４】
以上説明してきた本発明による前記乾電池収納装置１４によれば、前記単二形乾電池、前記単三形乾電池の前記第二接続端子１７ｂと前記単一形乾電池の前記第三接続端子１６ｄとを別々に設けるようにしたので、前記乾電池収納ケース１６内に前記単一形乾電池を収納した場合に、前記単一形乾電池の電極が前記第二接続端子１７ｂに接触したり、前記第三接続端子１６ｄが前記第二接続端子１７ｂに接触したりしてショートすることがないように、前記第三接続端子１６ｄを前記第二接続端子１７ｂから上方に位置するように固定された構成になっている。
【０１５５】
従って、前記実施例１と比べて、前記乾電池収納ケース１６の容積が若干大きくなるが、前記実施例１で説明してきた同様な効果を得ることができる。また、前記実施例１及び前記実施例２と同様に、前記第一接続端子１１ｄを、前記仕切り部材１３の前記第二接続端子１３ｂと対向する前記乾電池収納ケース１２の一面に設けた場合も適用できる。
【０１５６】
これまで説明してきた前記実施例１乃至前記実施例３では、前記乾電池収納ケースの前面に、前記仕切り部材の前記第二接続端子の前端を通過させるための端子用挿通孔を形成するようにしたが、本発明はこれに限るものではなく、前記乾電池収納ケースの外観性を重視した設計を行うようにしてもよく、この場合には前記乾電池収納ケースの容積が若干大きくなるが、前記乾電池収納ケースの前面部分を前記固定部の面に合わせて２層構造とすることにより実現することができる。
【０１５７】
また、これまで説明してきた前記実施例１乃至前記実施例３では、前記乾電池収納ケースに前記電池蓋を前記固定ネジで固定するようにしたが、本発明はこれに限るものではなく、前記乾電池収納ケースと前記電池蓋にそれぞれ係止手段を形成することにより、前記固定ネジを不要にした構成としてもよく、また、前記乾電池収納ケースと前記電池蓋の一辺に蝶番のような回動手段を形成することにより、前記電池蓋の紛失を防止した構成としてもよい。
【０１５８】
また、これまで説明してきた前記実施例１乃至前記実施例３では、前記乾電池収納装置を前記電子機器本体に対してカートリッジ式に取り付けられる構成としたが、本発明はこれに限るものではなく、前記乾電池収納装置の前記乾電池収納ケースを前記電子機器本体に一体形成した構成としてもよい。
【０１５９】
また、これまで説明してきた前記実施例１乃至前記実施例３では、前記第二接続端子、前記第三接続端子から前記接続ケーブルによって前記電子機器本体内の電子回路基板に接続されるようにしたが、前記電子機器本体側に、前記第二接続端子、前記第三接続端子に対応する位置に第四接続端子、第五接続端子を設け、これらの第四接続端子、第五接続端子から前記電子回路基板に接続されるような構成とすることにより、前記乾電池収納装置がカートリッジ式の場合に、前記電子機器本体に前記乾電池収納装置をワンタッチで取り付けることもできる。
【０１６０】
また、これまで説明してきた前記実施例１では、図４に示すように、前記乾電池収納ケースにおける前記ガイド部のいくつかの形成例を説明したが、前記実施例２及び前記実施例３においても適用することができる。この場合には、前記実施例２では図４に示すような形状に加え、前記単三形乾電池用第二移動部１２ａｃと前記単四形乾電池用第二移動部１２ａｄとの間の第一移動部１２ａｅを、前記単三形乾電池用第二移動部１２ａｃから上方に平行に延長し、途中で直角に折り曲げて再び下方に延長し、前記単四形乾電池用第二移動部１２ａｄに連結するように、前記第一移動部１２ａｅに段差を設けることにより採用することができ、前記実施例３ではそのまま適用することができる。
【０１６１】
また、これまで説明してきた前記実施例１乃至前記実施例３では、前記押さえ部は前記仕切り部材の前記第二面部材に一体的に形成するようにしたが、前記押さえ部を前記仕切り部材と別体に構成してもよい。
【０１６２】
更に、これまで説明してきた前記実施例１乃至前記実施例３では、前記乾電池収納ケースの前記開口部から乾電池を２本装着するようにしたが、前記２本の乾電池は直列接続または並列接続のどちらでもよく、前記直列接続または前記並列接続に対応して前記第一接続端子、前記第二接続端子、前記第三接続端子のそれぞれを構成するようにする。
【図面の簡単な説明】
【０１６３】
【図１】本発明による乾電池収納装置を用いた電子機器本体の外観を説明する図で（Ａ）は第一例の斜視図、（Ｂ）は第二例の斜視図である。
【図２】本発明による乾電池収納装置の実施例１の各構成を説明する図で（Ａ）は後斜めから見た組み上がり斜視図、（Ｂ）は前斜めから見た組み上がり斜視図、（Ｃ）は電池蓋の構成を説明する斜視図、（Ｄ）は仕切り部材の構成を説明する斜視図、（Ｅ）はガイド部の構成を説明する側面図である。
【図３】本発明による乾電池収納装置の実施例１に各乾電池を収納した状態を説明する図で（Ａ）は単一形乾電池を収納した状態の概略上面透視図、（Ｂ）は（Ａ）のＡ−Ａ断面の矢印方向の概略断面図、（Ｃ）は単二形乾電池を収納した状態の概略上面透視図、（Ｄ）は（Ｃ）のＢ−Ｂ断面の矢印方向の概略断面図、（Ｅ）は単三形乾電池を収納した状態の概略上面透視図、（Ｆ）は（Ｅ）のＣ−Ｃ断面の矢印方向の概略断面図である。
【図４】図４は本発明による乾電池収納装置のガイド部のその他の例を説明する図で（Ａ）は第一の側面図、（Ｂ）は第二の側面図、（Ｃ）は第三の側面図、（Ｄ）は第四の側面図である。
【図５】本発明による乾電池収納装置の実施例２の各構成を説明する図で（Ａ）は後斜めから見た組み上がり斜視図、（Ｂ）は前斜めから見た組み上がり斜視図、（Ｃ）は電池蓋の構成を説明する斜視図、（Ｄ）は仕切り部材の構成を説明する斜視図、（Ｅ）はガイド部の構成を説明する側面図である。
【図６】本発明による乾電池収納装置の実施例２に単四形乾電池を収納した状態を説明する図で（Ａ）は概略上面透視図、（Ｂ）は（Ａ）のＡ−Ａ断面の矢印方向の概略断面図である。
【図７】本発明による乾電池収納装置の実施例３の各構成を説明する分解斜視図である。
【図８】本発明による乾電池収納装置の実施例３のガイド部の構成を説明する側面図である。
【図９】本発明による乾電池収納装置の実施例３に各乾電池を収納した状態を説明する図で（Ａ）は単一形乾電池を収納した状態の概略上面透視図、（Ｂ）は（Ａ）のＡ−Ａ断面の矢印方向の概略断面図、（Ｃ）は単二形乾電池を収納した状態の概略上面透視図、（Ｄ）は（Ｃ）のＢ−Ｂ断面の矢印方向の概略断面図、（Ｅ）は単三形乾電池を収納した状態の概略上面透視図、（Ｆ）は（Ｅ）のＣ−Ｃ断面の矢印方向の概略断面図である。
【符号の説明】
【０１６４】
１  電子機器本体
１ａ  前面ケース
１ｂ  背面ケース
２  乾電池収納装置
３  電池蓋
３ａ  挿通部
３ｂ  固定ネジ
３ｃ  突起部
３ｄ  第一接続端子
４  乾電池収納ケース
４ａ  ガイド部
４ａａ  単一形乾電池用第二移動部
４ａｂ  単二形乾電池用第二移動部
４ａｃ  単三形乾電池用第二移動部
４ａｄ  第一移動部
Ｇ  段差（網かけ部分）
４ｂ  端子用挿通孔
４ｃ  固定部
４ｄ  開口部
４ｅ  面
４ｆ  面
４ｇ  乾電池収納スペース（網かけ部分）
５  仕切り部材
５ａ  係合部
５ｂ  第二接続端子
５ｃ  つまみ
５ｄ  押さえ部
５ｅ  位置決め部
５ｆ  第一面部材
５ｇ  第二面部材
６  乾電池収納ケース
６ａ  ガイド部
６ａａ  単一形乾電池用第二移動部
６ａｂ  単二形乾電池用第二移動部
６ａｃ  単三形乾電池用第二移動部
６ａｄ  第一移動部
６ｃ  固定部
６ｅ  面
７  乾電池収納ケース
７ａ  ガイド部
７ａａ  単一形乾電池用第二移動部
７ａｂ  単二形乾電池用第二移動部
７ａｃ  単三形乾電池用第二移動部
７ａｄ  第一移動部
Ａ  段差（網かけ部分）
Ｂ  側面
７ｃ  固定部
７ｅ  面
８  乾電池収納ケース
８ａ  ガイド部
８ａａ  単一形乾電池用第二移動部
８ａｂ  単二形乾電池用第二移動部
８ａｃ  単三形乾電池用第二移動部
８ａｄ  第一移動部
Ｃ  段差（網かけ部分）
Ｄ  側面
８ｃ  固定部
８ｅ  面
９  乾電池収納ケース
９ａ  ガイド部
９ａａ  単一形乾電池用第二移動部
９ａｂ  単二形乾電池用第二移動部
９ａｃ  単三形乾電池用第二移動部
９ａｄ  第一移動部
Ｅ  段差（網かけ部分）
Ｆ  側面
９ｃ  固定部
９ｅ  面
１０  乾電池収納装置
１１  電池蓋
１１ａ  挿通部
１１ｂ  固定ネジ
１１ｃ  突起部
１１ｃａ  第一突起部
１１ｃｂ  第二突起部
１１ｄ  第一接続端子
１２  乾電池収納ケース
１２ａ  ガイド部
１２ａａ  単一形乾電池用第二移動部
１２ａｂ  単二形乾電池用第二移動部
１２ａｃ  単三形乾電池用第二移動部
１２ａｄ  単四形乾電池用第二移動部
１２ａｅ  第一移動部
１２ｂ  端子用挿通孔
１２ｃ  固定部
１２ｄ  開口部
１２ｅ  面
１２ｆ  面
１２ｇ  乾電池収納スペース（網かけ部分）
１３  仕切り部材
１３ａ  係合部
１３ｂ  第二接続端子
１３ｃ  つまみ
１３ｄ  押さえ部
１３ｅ  位置決め部
１３ｆ  第一面部材
１３ｇ  第二面部材
１４  乾電池収納装置
１５  電池蓋
１５ａ  挿通部
１５ｂ  固定ネジ
１５ｃ  突起部
１５ｄ  第一接続端子
１６  乾電池収納ケース
１６ａ  ガイド部
１６ａａ  単一形乾電池用第二移動部
１６ａｂ  単二形乾電池用第二移動部
１６ａｃ  単三形乾電池用第二移動部
１６ａｄ  第一移動部
１６ｂ  端子用挿通孔
１６ｃ  固定部
１６ｄ  第三接続端子
１６ｅ  開口部
１６ｆ  面
１６ｇ  面
１６ｈ  乾電池収納スペース（網かけ部分）
１７  仕切り部材
１７ａ  係合部
１７ｂ  第二接続端子
１７ｃ  つまみ
１７ｄ  押さえ部
１７ｅ  位置決め部
１７ｆ  第一面部材
１７ｇ  第二面部材
【図１】
2006216500.tif 000003
【図２】
2006216500.tif 000004
【図３】
2006216500.tif 000005
【図４】
2006216500.tif 000006
【図５】
2006216500.tif 000007
【図６】
2006216500.tif 000008
【図７】
2006216500.tif 000009
【図８】
2006216500.tif 000010
【図９】
2006216500.tif 000011